(57)【要約】【課題】位置登録情報を参照して無線データ通信装置の呼を最適な無線電話装置へ接続することができる、使い勝手の良い無線データ通信装置、無線電話装置、無線通信システムを提供する。【解決手段】無線データ通信装置は接続する呼を無線電話装置へ接続する要求を行なう手段と、網は前記要求を受けると位置情報データベース内の無線電話装置の位置情報を参照する手段と、網は前記参照した位置情報により無線電話装置を選択する手段と、網は選択した無線電話装置を呼出す手段と、呼出した無線電話装置が応答すると応答した無線電話装置に前記呼を接続する手段とを備える。【選択図】        図１
2004320337.tif 000002
【特許請求の範囲】
【請求項１】
無線エリア毎に無線基地局と無線チャネルで接続してデータ通信を行なう無線データ通信装置、通話機能を動作する無線電話装置、および無線データ通信装置や無線電話装置の位置情報を登録して参照可能な位置情報データベースを有する網で構成する無線通信システムにおいて、
無線データ通信装置は接続する呼を無線電話装置へ接続する要求を行なう手段と、
網は前記要求を受けると位置情報データベース内の位置情報を参照する手段と、
網は前記参照した位置情報により無線電話装置を選択する手段と、
網は選択した無線電話装置を呼出す手段と、
呼出した無線電話装置が応答すると応答した無線電話装置に前記呼を接続する手段を備えることを特徴とする無線データ通信装置、無線電話装置、無線通信システム。
【請求項２】
請求項１において、使用者が無線データ通信装置上の操作で指定した時に無線データ通信装置は接続する呼を無線電話装置へ接続する要求を行なう手段を備えることを特徴とする無線データ通信装置、無線電話装置、無線通信システム。
【請求項３】
請求項１において、無線データ通信装置が相手通信装置から使用者呼び出し信号を受信した時に無線データ通信装置は接続する呼を無線電話装置へ接続する要求を行なう手段を備えることを特徴とする無線データ通信装置、無線電話装置、無線通信システム。
【請求項４】
請求項１から３において、網は前記参照した位置情報により、無線データ通信装置の同一エリア内に位置する無線電話装置を選択する手段と、
網は選択した無線電話装置を呼出す手段を備えることを特徴とする無線データ通信装置、無線電話装置、無線通信システム。
【請求項５】
請求項１から３において、網は前記参照した位置情報により、最も近いエリアに位置する無線電話装置を選択する手段と、
網は選択した無線電話装置を呼出す手段を備えることを特徴とする無線データ通信装置、無線電話装置、無線通信システム。
【請求項６】
請求項１から３において、網は前記参照した位置情報により、特定のエリアに位置する無線電話装置を選択する手段と、
網は選択した無線電話装置を呼出す手段を備えることを特徴とする無線データ通信装置、無線電話装置、無線通信システム。
【請求項７】
請求項６において、無線データ通信装置は接続する呼を無線電話装置へ接続する要求に無線電話装置の位置するエリアを特定する情報を含む手段を備えることを特徴とする無線データ通信装置、無線電話装置、無線通信システム。
【請求項８】
請求項１から７の一つにおいて、網は前記の呼出した無線電話装置の接続情報を、前記無線データ通信装置へ送信することを特徴とする無線データ通信装置、無線電話装置、無線通信システム。
【請求項９】
請求項１から８の一つにおいて、前記網は公衆網であり、前記位置情報データベースは公衆網の一構成要素であることを特徴とする無線データ通信装置、無線電話装置、無線通信システム。
【請求項１０】
請求項１から８の一つにおいて、前記網は構内交換機で構成する自営網であり、前記位置情報データベースは構内交換機の一構成要素であることを特徴とする無線データ通信装置、無線電話装置、無線通信システム。
【発明の詳細な説明】
【０００１】
【発明の属する技術分野】
本発明は、ファクシミリなどのデータ通信が可能な無線データ通信装置、通話が可能な無線電話装置、および無線データ通信装置や無線電話装置の位置情報を登録して参照可能な位置情報データベースを有する網、それらで構成する無線通信システムに関する。
【０００２】
【従来の技術】
近年、無線携帯電話機やＰＨＳ（Ｐｅｒｓｏｎａｌ  Ｈａｎｄｙ−ｐｈｏｎｅＳｙｓｔｅｍ）電話機の普及は目覚しく、各一人が一台以上を所有する勢いである。例えば、利用者は無線電話装置を携帯して持ち歩くことができるので、いつでも、どこでもダイヤル、発呼して、あるいは着呼を受けて、電話による会話を行なうことが可能であり、大変便利である。
【０００３】
またＰＨＳは通話用の簡易な携帯電話機としての利用だけでなく、回線品質が良いデジタルデータ伝送にも適している。したがって、ＰＨＳの無線チャネルを使用したデータ通信の利用方法も提案されてきている。
【０００４】
例えば、ＰＤＣ方式を用いた日本の無線携帯電話もデータ速度はＰＨＳより遅いが、データ通信が可能である。
【０００５】
将来の無線携帯電話としては、例えばＣＤＭＡ（符号分割多元接続）方式を応用した無線方式がいくつか提案されていて、すでにサービスが開始されているものもある。この場合は、さらに帯域幅の広く高速なデータ通信が期待されている。
【０００６】
これらの無線装置を利用したシステム、特にＰＨＳシステムでは、無線装置の位置情報を公衆網の共通信号網につながる位置情報データベースや自営網の交換機内にある位置情報データベースにＰＨＳ端末装置や無線通信装置の位置する無線基地局の識別情報を登録することを行なっている。したがって、その位置情報を識別して必要な処理を行なうことが可能である。
【０００７】
例えば特開平１０−４２３７０では、親機は子機となった携帯電話端末の現在位置を親機の位置登録エリア内に位置するものとして制御局に位置登録する。
【０００８】
一方、一般に公衆回線に接続し構内の内外と通信が可能な無線データ通信装置として代表的なファクシミリ装置の普及はかなり高く手軽に原稿を送受信することができるので、その利用も衰えることはない。
【０００９】
また更に通信装置としては、現在はパーソナルコンピュータなどの情報端末にモデムを接続してパーソナルコンピュータ上のデータやファイルを送受信する用途が伸びている。
【００１０】
例えばファクシミリ装置の典型的な機能として、電話機能を内蔵したり外部電話機を接続したりして、ファクシミリ機能と連携して使用することが可能となっている。具体的には、いわゆる「電話予約機能」として、ファクシミリ通信後にその呼を接続したままで相手ファクシミリ装置側の使用者と電話機により会話を行ないたい場合には以下の動作となる。
【００１１】
すなわち、手元のファクシミリ装置から電話機による会話を要求したい時は、手元のファクシミリ装置に備えるキースイッチをファクシミリ通信中に押下すると、ファクシミリ装置は画像データ送信、あるいは受信後にＩＴＵ勧告Ｔ．３０に規定する手順信号の内、ＰＲＩ−Ｑ信号、ＰＩＰ信号、あるいはＰＩＮ信号を送信して、相手側の使用者が電話機を取るなどして応答するとＰＩＰ信号、ＰＩＮ信号あるいはＰＲＩ−Ｑ信号を受信する。そして、手元のファクシミリ装置はスピーカなどでビープ音などを鳴動して使用者を呼び出し、手元のファクシミリに付属する電話機を取ると使用者は相手側と会話が可能となる。
【００１２】
また、相手のファクシミリ装置から電話機による会話の要求がある場合は、ファクシミリ装置は画像データ送信、あるいは受信後にＰＩＰ信号、ＰＩＮ信号あるいはＰＲＩ−Ｑ信号を受信するので、手元のファクシミリ装置はスピーカなどでビープ音などを鳴動して使用者を呼び出す。そして使用者は手元のファクシミリに付属する電話機を取ると、ファクシミリ装置はＰＲＩ−Ｑ信号、ＰＩＰ信号あるいはＰＩＮ信号を送信し、それを受けて相手側ファクシミリ装置は使用者を呼び出すので、相手側使用者が付属する電話機を取るなどして応答すると会話が可能となる。
【００１３】
これはパーソナルコンピュータによるデータ通信機能に関しても同じである。
【００１４】
【発明が解決しようとする課題】
しかしながら、ファクシミリなどのデータ通信を行なう無線データ通信装置、ＰＨＳや携帯無線電話装置などの通信機能を動作する無線電話装置、公衆網や自営網に有線で接続して通話機能を動作する有線無線電話装置、および複数の無線基地局を有して前記の無線データ通信装置や無線電話装置の位置情報を登録して参照可能な位置情報データベースを有する網で構成する無線通信システムにおいて、前述のような「電話予約機能」を例えばファクシミリ装置がファクシミリ通信中に無線電話装置を使用して通話を行ないたい時に、ファクシミリ装置や無線電話装置の位置情報を利用して無線電話装置への接続を行なう手段は特に無い。
【００１５】
前述の特開平９−８４１１３の手法を適用しようとしても、構内無線基地局（親機）が一台であればよいが複数ある場合はうまく動作しないし、ましてや位置情報を利用する手段はない。
【００１６】
また、特開平１０−１９１４５３では、ＰＤＡの使用者は印刷装置の位置情報を参照して印刷装置を指定すると、指定された印刷装置でＰＤＡの文書データを印刷出力するようにしているが、これはＰＤＡと印刷装置間のデータ通信方法の例であり、上記のような要求には満足しない。
【００１７】
また、特開平１０−２２２５２７では、ＰＤＡの使用者はデータベースで検索した検索データの出力先位置情報を参照して出力先を指定すると、指定された出力先で検索データを出力するようにしているが、これはデータベースと検索データ出力先間の通信方法の例であり、上記のような要求には満足しない。
【００１８】
本発明は、データ通信を行なう無線データ通信装置、通話機能を動作する無線電話装置、および無線データ通信装置や無線電話装置の位置情報を登録して参照可能な位置情報データベースを有する網で構成する無線通信システムにおいて、上記問題点を解決し、ファクシミリなどの無線データ通信装置がデータ通信を行なっている途中や通信後に無線データ通信装置に接続している呼を無線電話装置に接続して使用者が容易に無線電話装置の通話機能動作を得ることが可能な使い勝手の良い無線通信システム、無線データ通信装置、無線電話装置を提供することにある。
【００１９】
【課題を解決するための手段】
請求項１記載の発明は、無線エリア毎に無線基地局と無線チャネルで接続してデータ通信を行なう無線データ通信装置、通話機能を動作する無線電話装置、および無線データ通信装置や無線電話装置の位置情報を登録して参照可能な位置情報データベースを有する網で構成する無線通信システムにおいて、無線データ通信装置は接続する呼を無線電話装置へ接続する要求を行なう手段と、網は前記要求を受けると位置情報データベース内の位置情報を参照する手段と、網は前記参照した位置情報により無線電話装置を選択する手段と、網は選択した無線電話装置を呼出す手段と、呼出した無線電話装置が応答すると応答した無線電話装置に前記呼を接続する手段とを備えることを特徴とする。
【００２０】
請求項２記載の発明は、請求項１記載の無線データ通信装置、無線電話装置、無線通信システムにおいて、使用者が無線データ通信装置上の操作で指定した時に無線データ通信装置は接続する呼を無線電話装置へ接続する要求を行なう手段を備えることを特徴とする。
【００２１】
請求項３記載の発明は、請求項１記載の無線データ通信装置、無線電話装置、無線通信システムにおいて、無線データ通信装置が相手通信装置から使用者呼び出し信号を受信した時に無線データ通信装置は接続する呼を無線電話装置へ接続する要求を行なう手段を備えることを特徴とする。
【００２２】
請求項４記載の発明では、請求項１から３記載の無線データ通信装置、無線電話装置、無線通信システムにおいて、網は前記参照した位置情報により、無線データ通信装置の同一エリア内に位置する無線電話装置を選択する手段と、網は選択した無線電話装置を呼出す手段を備えることを特徴とする。
【００２３】
請求項５記載の発明では、請求項１から３記載の無線データ通信装置、無線電話装置、無線通信システムにおいて、網は前記参照した位置情報により、最も近いエリアに位置する無線電話装置を選択する手段と、網は選択した無線電話装置を呼出す手段を備えることを特徴とする。
【００２４】
請求項６記載の発明では、請求項１から３記載の無線データ通信装置、無線電話装置、無線通信システムにおいて、網は前記参照した位置情報により、特定のエリアに位置する無線電話装置を選択する手段と、網は選択した無線電話装置を呼出す手段を備えることを特徴とする。
【００２５】
請求項７記載の発明では、請求項６記載の無線データ通信装置、無線電話装置、無線通信システムにおいて、無線データ通信装置は接続する呼を無線電話装置へ接続する要求に無線電話装置の位置するエリアを特定する情報を含む手段を備えることを特徴とする。
【００２６】
請求項８記載の発明では、請求項１から７記載の無線データ通信装置、無線電話装置、無線通信システムにおいて、網は前記の呼出した無線電話装置の接続情報を、前記無線データ通信装置へ送信することを特徴とする。
【００２７】
請求項９記載の発明では、請求項１から８記載の無線データ通信装置、無線電話装置、無線通信システムにおいて、前記網は公衆網であり、前記位置情報データベースは公衆網の一構成要素であることを特徴とする。
【００２８】
請求項１０記載の発明では、請求項１から８記載の無線データ通信装置、無線電話装置、無線通信システムにおいて、前記網は構内交換機で構成する自営網であり、前記位置情報データベースは構内交換機の一構成要素であることを特徴とする。
【００２９】
【発明の実施の形態】
以下に本発明の実施例を図を参照しながら説明する。
【００３０】
本発明の第一の実施例は、無線エリア毎に無線基地局と無線チャネルで接続してデータ通信を行なう無線データ通信装置としてのファクシミリ装置、通話機能を動作する無線電話装置、およびファクシミリ装置や無線電話装置の位置情報を登録して参照可能な位置情報データベースを有する構内交換機を持つ自営網で構成する無線通信システムにおいて、ある無線基地局の無線エリア内に位置するファクシミリ装置において無線チャネルによる呼がつながってファクシミリ通信を行っている時に、無線電話装置にその呼を接続するようにファクシミリ装置で使用者が操作すると、構内交換機はその要求を受けて無線電話装置とファクシミリ装置の位置情報を参照して、ファクシミリ装置に最も近いエリアに位置する無線電話装置を呼出し、さらに、呼出した無線電話装置が応答すると構内交換機はその情報をファクシミリ装置に送信する場合を示す。
【００３１】
図１は、本発明の第一の実施例による無線通信システムを示す構成図である。
【００３２】
この無線通信システムは構内交換機１０１、構内無線基地局１０２、１０３、１０４、無線電話装置１０５、１０６、１０７、ファクシミリ装置１０８、１０９ａ、１０９ｂで構成する。無線方式はここでＰＨＳ方式であるとする。ただし、位置情報登録、検索機能を有している他の方式でもよい。
【００３３】
ここで、構内交換機１０１は外線１１０が接続されていて、機内の中の内線接続する端末装置間や、あるいは内線接続の端末装置と構内の外部の端末装置の間の通話やファクシミリなどのデータ通信が可能となっている。さらに、構内交換機１０１は構内無線基地局１０２、１０３、１０４と有線で接続されている。また、構内交換機１０１は制御部１０１ａを有し、特にそのメモリに位置情報データベースを有して構内交換機に接続する全ての装置の位置情報を登録して管理している。
【００３４】
各無線基地局はそれぞれ無線エリアを持っており、無線基地局１０２は無線エリアＡ１１１、無線基地局１０３は無線エリアＢ１１２、無線基地局１０４は無線エリアＣ１１３となる。各無線基地局はそれぞれの無線エリア内にある無線電話装置１０５、１０６、１０７、ファクシミリ装置（無線）１０９ａ、１０９ｂの無線基地局として、それらの端末と構内交換機１０１間の中継を行ない、無線電話装置やファクシミリ装置（無線）は構内の内線端末として動作することができる。
【００３５】
図１では無線電話装置は３台、ファクシミリ装置（無線）は２台、ファクシミリ装置（有線）は１台しか示していないが、当然それ以上の数を設けることも可能である。それぞれの内部構成は同じとする。
【００３６】
各無線電話装置、各ファクシミリ装置はその識別番号をそれぞれ持っており、無線電話装置１０５＝＃４、無線電話装置１０６＝＃５、無線電話装置１０７＝＃６、ファクシミリ装置１０９ａ＝＃１、ファクシミリ装置１０９ｂ＝＃２、ファクシミリ装置１０８＝＃３とする。それを元にして構内交換機１０１は各端末装置の位置情報を登録して記憶する。
【００３７】
図１−１は構内交換機１０１の制御部１０１ａに登録して記憶している位置情報データベーステーブルの一例である。すなわち、構内交換機１０１は各無線基地局から送られてくる情報により、図示のようなデータベーステーブルを作成し、それを参照すると例えば無線エリアＡ内にはファクシミリ装置（＃２）と無線電話装置（＃４）が現在位置する、などが識別できる。ファクシミリ装置や無線電話装置はそれぞれが移動すれば、無線基地局はその情報を構内交換機１０１へそのつど送ってくるので、構内交換機１０１はそのたびに位置登録データベーステーブルを書き換えて更新する。
【００３８】
また構内交換機１０１は各無線エリアの位置情報を持っているものとする。すなわち、それぞれの無線エリアの遠近の関係を無線エリア位置データベーステーブルとして登録され制御部１０１ａに記憶されているものとする。これは設置時に登録されるものとし、無線基地局が移動や新設されたときは再登録される。図１−２の例では、例えば無線エリアＡの最も近い無線エリアはＢであり、遠いエリアはＣとする。また、無線エリアＡの近くにはファクシミリ装置（有線）１０８が設置してあるのでその情報も登録しているものとする。
【００３９】
図２は、本発明の第一の実施例による無線電話装置の構成を示すブロック図である。無線電話装置はそれぞれ、音声を入出力するマイク２０１、スピーカ２０２、マイク２０１から入力された音声信号を無線通信チャネルで送信するためにＡＤＰＣＭコードに変換する、あるいは受信したＡＤＰＣＭコード音声データをスピーカ２０２から出力するためにアナログ信号に変換するためのＡＤＰＣＭコーデック２０３、音声データや情報データをＰＨＳの通信方式に適合したデータに変換する、あるいは受信したデータを音声データや情報データとして抽出するチャンネルコーデック２０４、無線基地局１０２、１０３、１０４との無線通信のためのアンテナ２０６や電気素子で構成する無線通信部２０５、操作のための複数のキースイッチ２１０、使用者が無線電話装置の状態などの確認を行なうためのＬＣＤやＬＥＤで構成する表示部２１１、無線電話装置全体を制御するＣＰＵ２０７、ＣＰＵを動作させ無線電話装置全体を制御するプログラムやパラメータを格納するＲＯＭ２０８、無線電話装置全体を制御するパラメータの一次格納や送受信するデータの一次格納を行なうＲＡＭ２０９などで構成し、一般に広く使われているＰＨＳ無線端末と同等のものでよい。
【００４０】
図３は、本発明の第一の実施例によるファクシミリ装置（無線）１０９ａ、１０９ｂの構成を示すブロック図である。
【００４１】
ここでファクシミリ装置（無線）１０９ａ、１０９ｂは一般に広く使われているファクシミリ装置にＰＨＳのデータ通信ができるように改良したもので良い。すなわち、装置の制御を行なうＣＰＵ３０１、装置制御のプログラムを格納するＲＯＭ３０２、ＣＰＵ３０１の動作や装置の動作に必要なパラメータやデータ、また送信や受信する画像データやデータファイル、文字コード形式データなどを格納するＲＡＭ３０３、使用者が装置動作を指定するため装置を操作したり装置の状態を表示したりする操作パネル３０４、ファクシミリ送信原稿や複写原稿をカラー画像または白黒画像として読み取るための読み取り部３０５、ファクシミリ受信原稿や複写原稿、あるいはファイル原稿をカラーまたは白黒でプリントアウトするための記録部３０６、ファクシミリ送受信のための通信プロトコルの制御や送受信、信号の変復調の制御、ＰＳＴＮやＩＳＤＮなどの公衆回線３０８に接続し発呼制御や着呼検出などを行なう通信制御ユニット３０７に加えて、情報データをＰＨＳの通信方式に適合したデータに変換する。あるいは受信したデータを情報データとして抽出するチャンネルコーデック３０９、無線基地局１０２、１０３、１０４との無線通信のためのアンテナ３１１や電気素子で構成する無線通信部３１０、通信制御ユニット３０７にあるＧ３ファクシミリモデムと接続しモデムから入力されたアナログ信号を無線通信チャネルで送信するためにＡＤＰＣＭコードに変換する、あるいは受信したＡＤＰＣＭコードデータをモデムに入力するためにアナログ信号に変換するためのＡＤＰＣＭコーデック３１２で構成する。
【００４２】
ここで、ファクシミリ通信を行なう時は、ファクシミリデータをデジタル信号として送受信するモード（例えばＧ４ファクシミリモード）の場合にＡＤＰＣＭコーデック３１２は使用しなくてよいが、Ｇ３ファクシミリモードなどファクシミリデータを変復調してアナログ信号として送受信する場合でＰＨＳの例えばスピーチ能力を利用して通信する時にアナログ信号は３２ｋｂｐｓのＡＤＰＣＭコードに変換される必要があり、ＡＤＰＣＭコード３１２を介してファクシミリ送受信を行なう。あるいは、ＰＨＳ無線の２チャネルを同時に使用できる時は、フアクシミリ送信するアナログ信号は６４ｋｂｐｓのμ／Ａ則ＰＣＭコードに変換され、ファクシミリ受信したμ／Ａ則ＰＣＭコードはアナログ信号に変換されるので、ＡＤＰＣＭコーデック３１２の代わりにμ／Ａ則ＰＣＭコーデックを使用する。
【００４３】
またここで、無線を介して構内交換機１０１と接続する場合は、通信制御ユニット３０７の中のＰＳＴＮやＩＳＤＮなどの公衆回線３０８に接続し発呼制御や着呼検出などを行なう機能はなくてもよい。
【００４４】
ここで、操作パネル３０４には呼切換要求の操作を行なうための特別なキー「呼切換」キーを設け、ファクシミリ装置（無線）１０９ａ、１０９ｂで呼が接続されている時に使用者により「呼切換」キーが押下されると、無線電話装置へ呼を接続し直すために、ファクシミリ装置（無線）１０９ａ、１０９ｂは構内交換機１０１へ向けて「呼切換」要求を出力する。またここで、「呼切換」キーを押下すると同時に無線電話装置の位置する無線エリアの情報を入力できるようにして、使用者は必要な場合にはその情報を入力する。
【００４５】
またここでは、スタンドアローンのファクシミリ装置の構成を示したが、ファクシミリ通信機能を持った装置であれば、いかなるものも適用可能である。例えばパーソナルコンピュータなどの情報端末装置上に通信機能を持ったハードウェアとファクシミリ機能を持ったアプリケーションソフトを搭載して実現したファクシミリ装置でもよい。あるいは、複写機やプリンタ、スキャナーなどの入出力装置にファクシミリ機能を持ったものでもよい。
【００４６】
また図１に示す無線通信システムは、ファクシミリ装置１０８が構内交換機１０１と有線で接続されているものとする。すなわち、ファクシミリ装置１０８は構内交換機１０１により内線端末装置との間や構内の外部のファクシミリ装置との間でファクシミリ通信が可能である。その内部構成は図３に示すファクシミリ装置のブロック図と同等で、通信制御ユニット３０７を介して回線３０８により構内交換機１０１と接続され、チャンネルコーデック３０９、無線通信部３１０、アンテナ３１１はなくてもよい。すなわち、ファクシミリ装置１０８はいかなる無線基地局の無線エリア外に位置してもよい。
【００４７】
次に、本発明の第一の実施例による無線通信システムの各装置機器の動作や各装置機器間の信号シーケンスを図４で、ファクシミリ装置（無線）１０９ａ、１０９ｂいずれかでよいが、ここではファクシミリ装置（無線）１０９ａの動作を図５で、構内交換機１０１の動作は図６を参照しながら説明する。さらには、図５はファクシミリ装置（無線）１０９ａの動作を表わすフローチャート、すなわちＣＰＵ３０１の動作フローチャート、ＲＯＭ３０２に格納するＣＰＵ３０１の動作制御プログラムシーケンスである。図６は構内交換機１０１の動作を表わすフローチャート、すなわち構内交換機１０１内部にある制御部１０１ａの動作フローチャートとする。
【００４８】
ここで、無線電話装置は移動するのでその位置登録は移動するたびに、あるいは発呼する時に行われるものとする。ファクシミリ装置（無線）は移動しないので位置登録は設置時に一回行われるものとする。そして現在、無線電話装置１０５は無線エリアＡ、無線電話装置１０６は無線エリアＢ、無線電話装置１０７は無線エリアＣ、ファクシミリ装置（無線）１０９ａは無線エリアＢ、ファクシミリ装置（無線）１０９ｂは無線エリアＣのＣＳ−ＩＤが構内交換機１０１の制御部１０１ａのメモリに記憶されて位置登録として登録されているものとする。
【００４９】
次に各動作を図５、図６にそって説明する。
【００５０】
まず、図５に示すステップＳ５０１において、ファクシミリ装置（無線）１０９ａは呼を接続中とする。すなわち、ファクシミリ装置（無線）１０９ａは無線基地局１０３の無線エリアＢ１１２の中に位置し、発呼したか着呼を受けて無線基地局１０３と無線チャネルを接続していて、かつ構内交換機１０１を通して構内の端末装置か構内外部の端末装置のいずれかと接続し、ファクシミリ通信を行なっている状態とする。
【００５１】
そして、ステップＳ５０２において、ファクシミリ装置（無線）１０９ａの使用者はその呼を無線電話装置に接続し直す必要が生じた場合、使用者はファクシミリ装置（無線）１０９ａ上で呼切換操作を行なうことができる。
【００５２】
具体的には、ファクシミリ装置（無線）１０９ａでファクシミリ受信をしたときに受信した画像をもう一度送信してもらいたい場合に相手使用者と通話を行なう、ファクシミリ装置（無線）１０９ａでファクシミリ送信したときに相手使用者にそのファクシミリ送信画像を即座に見てもらいたい場合に、相手使用者と通話を行なう、などが考えられる。
【００５３】
呼切換操作は前述したように、操作キー３０４に呼切換要求の操作を行なうための特別なキー、「呼切換」キーを設け、使用者により「呼切換」キーが押下され、さらに必要であれば呼の転送先の無線電話装置１０６の位置する無線エリア特定情報も入力する。入力する無線エリア特定情報は特定する無線エリアを形成する無線基地局の識別番号（ＣＳ−ＩＤ）とする。ここで、無線エリア特定情報は入力されなくてもよい。
【００５４】
無線基地局１０４はこれを受信して、構内交換機１０１へ出力する。必要であれば、無線基地局１０４は呼切換要求信号を適切なフォーマットに変換する。
【００５５】
構内交換機１０１は呼切換要求信号を受信すると制御部１０１ａの位置情報データベースを参照して呼出す無線電話装置を選択し、選択した無線電話装置を呼び出して無線電話装置がその呼び出しに応答すると、構内交換機１０１はファクシミリ装置（無線）１０９ａへ呼出した無線電話装置の識別情報と呼出した無線電話装置が応答したことを示す「接続情報」信号を送ってくる。ここで「接続情報」信号もＴＤＭＡ／ＴＤＤ方式に基づく付随制御チャネルを使ったデータ信号とする。
【００５６】
ファクシミリ装置（無線）１０９ａは、ステップＳ５０４において、「接続情報」信号を受信するとそれを解析して（ステップＳ５０５）、ステップＳ５０６において、使用者が判別できるような形式で出力する。例えば、表示部２１１のＬＣＤでメッセージを出力したり、ＬＥＤを点滅、点灯させたりする。
【００５７】
「接続情報」を解析して、選択された無線電話装置の識別情報と呼出した無線電話装置が応答したことを示す情報の時は、具体的に無線電話装置＃５が呼出して応答した場合、「無線電話＃５応答」などと表示したりする。（ステップＳ５０６）
また、選択した無線電話装置を呼出して何らかの理由で応答しなかった時もその情報を「接続情報」信号として受信するので、「無線電話＃５非応答」などと表示する。（ステップＳ５０６）
このようにしてファクシミリ装置（無線）１０９ａの使用者は交換機１０１が呼出した無線電話装置を識別でき、呼出された無線電話装置が応答したかどうかを容易に識別することができる。
【００５８】
一方、また、ステップＳ５０３において、「呼切換要求」信号を出力した後にタイマーカウントを開始して、ステップＳ５０４において、「接続情報」信号を受信せず、ステップＳ５０６において、タイマーがカウント終了すると「接続情報」を出力せず、ステップＳ５０７に進む。
【００５９】
次に、呼出した無線電話装置が応答した場合は、ファクシミリ装置（無線）１０９ａはこちらの使用者が無線電話装置で応答したことを示す使用者応答信号（ここではＰＲＩ−Ｑ）を相手ファクシミリ装置へ送信する。
【００６０】
さらに、呼出した無線電話装置が応答した場合は、構内交換機１０１は「接続情報」信号を送った後にファクシミリ装置（無線）１０９ａの接続する呼を無線電話装置に接続し直さなければいけないので、呼制御メッセージの中の呼切断信号（ＤＩＳＣＯＮＮＥＣＴ）をファクシミリ装置（無線）１０９ａへ送ってくる。
【００６１】
したがって、ステップＳ５０８において、ファクシミリ装置（無線）１０９ａは無線基地局１０３から呼切断信号を受信するとステップＳ５０９に進む。
【００６２】
そして、ステップＳ５０９において、開放（ＲＥＬＥＡＳＥ）、開放完了（ＲＥＬＥＡＳＥ  ＣＯＭＰＬＥＴＥ）の信号のやり取りをファクシミリ装置（無線）１０９ａ、無線基地局１０３間でやりとりを行なうことにより呼を切断して、本実施例のファクシミリ装置（無線）１０９ａの動作を終了する。
【００６３】
一方、ステップＳ５１０において、ファクシミリ装置（無線）１０９ａの操作パネル３０４の中のストップキーを押された場合、ファクシミリ装置（無線）１０９ａは呼切断信号を無線基地局１０３へ送信する。そして同様に、ステップＳ５１０において、開放、開放完了の信号のやり取りをファクシミリ装置（無線）１０９ａ、無線基地局１０３間でやりとりを行なうことにより呼を切断して、本実施例のファクシミリ装置（無線）１０９ａの動作を終了する。ただしここで、図４に示す切断、開放、開放完了の各信号送受信の向きはすべて逆になる。
【００６４】
さらに、呼出した無線電話装置が応答しなかった場合は、構内交換機１０１は呼制御メッセージの中の呼切断信号（ＤＩＳＣＯＮＮＥＣＴ）をファクシミリ装置（無線）１０９ａへ送ってこないので、ファクシミリ装置（無線）１０９ａはそのままファクシミリ通信を継続するか、タイマーカウントして前記と同様の呼切断動作を行なう。
【００６５】
一方、構内交換機１０１の動作は、図６のステップＳ６０１において、まずファクシミリ装置（無線）１０９ａから無線基地局１０３を経由して呼切換要求信号を受信するかどうか監視し受信すると、ステップＳ６０２において、その信号を解析する。
【００６６】
そして、ステップＳ６０３において、呼切換要求信号の中に接続する無線電話装置の位置を指定する情報、具体的には無線電話装置の位置する無線エリア特定情報が含まれているかどうかを識別する。もし、エリア特定情報が含まれていなければ、ステップＳ６０４において、構内交換機１０１は制御部１０１ａの位置情報データベースを参照して呼切換要求信号を送ってきたファクシミリ装置（無線）１０９ａに最も近いエリアの無線電話装置を選択する。
【００６７】
具体的には、この場合にファクシミリ装置（無線）１０９ａが呼切換要求信号を送ってきているので、図１−１の位置登録データベーステーブルを参照してファクシミリ装置（無線）１０９ａの位置する無線エリアは無線エリアＢ１１２であることを識別する。そして、まず無線エリアＢ１１２内に無線電話装置が存在するか検索する。存在すればその無線電話装置を選択する。もし無線電話装置が存在しない場合は、図１−２の無線エリア位置データベーステーブルを参照して無線エリアＢ１１２に最も近い無線エリアを検索し、図１−１の位置登録データベーステーブルを参照して、例えば無線エリアＣ１１３内に位置する無線電話装置を識別する。この識別結果により構内交換機１０１は接続する無線電話装置を選択する。
【００６８】
もし、呼切換信号を送ってきたファクシミリ装置（無線）がファクシミリ装置（無線）１０９ａやファクシミリ装置（無線）１０９ｂの場合は同じ無線エリア内に無線電話装置が位置するので構内交換機１０１はそれを識別することができ、それぞれ無線電話装置１０６（＃５）や無線電話装置１０５（＃４）を選択することになる。
【００６９】
またもし、同じ無線エリア装置内や最も近い無線エリア装置内に無線電話装置が２台以上存在する時は、各無線電話装置に優先順位を付けて優先順位の高いものから選択するようにしてもよい。最も近い無線エリアが２つ以上ある場合も各無線エリアに優先順位を付けるようにしてもよい。
【００７０】
一方、ステップＳ６０３において、無線電話装置の位置する無線エリア特定情報が含まれていれば、ステップＳ６０５において、構内交換機１０１は図１−１の位置登録データベーステーブルを参照して特定する無線エリア内の無線電話装置を選択する。
【００７１】
そして、ステップＳ６０６において、構内交換機１０１は選択した無線電話装置を呼び出す。すなわち、構内交換機１０１は選択した無線電話装置の内線番号を識別して無線基地局１０３を通して無線電話装置を呼び出す。ここでは無線電話装置１０６が選択されて呼び出されるものとする。ここで、前記のデータベーステーブルは直接、内線番号で管理してもよい。
【００７２】
無線電話装置１０６は、図２のアンテナ２０６、無線通信部２０５によりその呼出を受けて、応答可能な状態、すなわち呼を受けて通話可能な状態であれば、呼を接続して構内交換機１０１へ応答（ＣＯＮＮＥＣＴ）を返す。
【００７３】
構内交換機１０１は、ステップＳ６０７において、呼び出した無線電話装置１０６からの応答信号を待ち、応答信号を受信すると構内交換機１０１は無線電話装置１０６が呼を受けて接続できる状態であると識別する。そして、ステップＳ６０８において、「呼切換」要求信号を送信してきたファクシミリ装置（無線）１０９ａへ「応答」の情報を含む「接続情報」信号を送信する。ここで「接続情報」信号はＴＤＭＡ／ＴＤＤ方式に基づく付随制御チャネルを使ったデータ信号とする。
【００７４】
そして、ステップＳ６０９において、ファクシミリ装置（無線）１０９ａへ接続している情報チャネルや呼を切断する。すなわち、構内交換機１０１はファクシミリ装置（無線）１０９ａへ接続する情報チャネルを切断して、さらに無線基地局１０４を通して呼切断信号を送り、それに応答してファクシミリ装置（無線）１０９ａが開放信号を送ってくると、構内交換機１０１は開放完了信号を送って、ファクシミリ装置（無線）１０９ａに対する呼の切断を完了する。
【００７５】
そして、ステップＳ６１０において、構内交換機１０１は無線電話装置１０６へ呼の接続を完了し情報チャネルを接続する。すなわち、構内交換機１０１は応答確認信号（ＣＯＮＮＥＣＴＡＣＫＮＯＷＬＥＤＧＥ）を無線電話装置１０６に無線基地局１０３を通して送って、情報チャネルを接続する。もちろんこの間に構内交換機１０１は相手側の端末装置とこの接続状態を継続している。
【００７６】
こうして無線電話装置１０６は呼や情報チャネルを接続した状態となり、通常の通話を行なうことができるようになる。
【００７７】
以上で、本実施例の構内交換機１０１の動作を終了する。
【００７８】
一方、構内交換機１０１は、ステップＳ６０７において、呼び出した無線電話装置１０６からの応答信号を受信しない場合は、ステップＳ６１１において、「呼切換」要求信号を送信してきたファクシミリ装置（無線）１０９ａへ「非応答」の情報を含む「接続情報」信号を送信する。そしてファクシミリ装置（無線）１０９ａへ接続する情報チャネルや呼はそのまま接続しておく。そうすることによりファクシミリ装置（無線）１０９ａは継続して相手先とファクシミリ通信が可能となる。
【００７９】
以上で、本実施例の構内交換機１０１の動作を終了する。
【００８０】
ここで、構内交換機１０１は無線電話装置１０６に応答確認信号の送信を、ファクシミリ装置（無線）１０９ａとの間での開放、開放完了信号の送受信後に行なったが、無線電話装置１０６から応答信号を受信した直後や、ファクシミリ装置（無線）１０９ａへ呼切断信号を送信した直後に、無線電話装置１０６へ応答確認信号を送信してもよい。
【００８１】
またここで、構内交換機１０１はファクシミリ装置（無線）１０９ａの情報チャネルや呼を切断した後無線電話装置１０６へ接続したが、ファクシミリ装置（無線）１０９ａの情報チャネルや呼を切断する前に先に無線電話装置１０６へ呼や情報チャネルを接続してからファクシミリ装置（無線）１０９ａの情報チャネルや呼を切断するようにしてもよい。
【００８２】
またここで、構内交換機１０１は無線電話装置１０６から応答信号を受信した後に「接続情報」信号をファクシミリ装置（無線）１０９ａへ送信するようにしたが、この時は送信せずに無線電話装置１０６へ呼や情報チャネルを接続した後に、ファクシミリ装置（無線）１０９ａを呼出してファクシミリ装置（無線）１０９ａと構内交換機１０１間でチャネルを接続し直して「接続情報」信号をファクシミリ装置（無線）１０９ａへ送信するようにしてもよい。
【００８３】
以上のように、本発明の第一の実施例では、自営網の無線基地局と接続されたファクシミリ装置と無線電話装置、構内交換機とで構成する無線通信システムにおいて、フアクシミリ装置（無線）において内線あるいは外線と呼がつながっている時に、無線電話装置にその呼を接続するようにファクシミリ装置（無線）で使用者が操作すると、構内交換機はその要求を受けて指定された無線エリアの、あるいは最も近い無線エリアの無線電話装置にその呼を接続することができるようになるので、ファクシミリ装置（無線）の使用者が接続している同一の呼でそのまま無線電話による通話を行ないたい時に、指定した無線エリアの、あるいは最も近い無線エリアの無線電話装置で容易に通話を行なうことができる。
【００８４】
以下に本発明の第二の実施例を説明する。
【００８５】
第一の実施例ではファクシミリ装置（無線）１０９ａにおいてファクシミリ通信中に操作を受けて無線電話装置に呼を切り替える例を示したが、本発明の第二の実施例では、ファクシミリ通信中、あるいは通信後に相手ファクシミリ装置から使用者呼び出し信号を受信して無線電話装置に呼を切り替える例を、図７を参照して説明する。
【００８６】
第二の実施例における、無線データ通信装置、無線電話装置、無線通信システムの構成は第一の実施例と同じとする。
【００８７】
第二の実施例では第一の実施例と同様にまず、ファクシミリ装置（無線）１０９ａは無線基地局１０３の無線エリアＢ１１２の中に位置し、発呼したか着呼を受けて無線基地局１０３と無線チャネルを接続していて、かつ構内交換機１０１を通して構内の端末装置か構内外部の端末装置のいずれかと接続し、ファクシミリ通信を行なっている状態とする。
【００８８】
そして、ファクシミリ装置（無線）１０９ａは相手ファクシミリ装置から使用者呼び出し信号（ここではＰＩＰ、あるいはＰＩＮ）を受信する。すなわち、相手ファクシミリ装置においてその使用者が電話予約操作を行うなどして、ファクシミリ通信中、あるいは通信後に通話を行いたい旨を相手ファクシミリ装置が通知したことになる。
【００８９】
その後、ファクシミリ装置（無線）１０９ａ、構内交換機１０１は第一の実施例と同様に動作し、ファクシミリ装置（無線）１０９ａは「接続情報」信号を受信して呼び出した無線電話装置が応答した場合は、こちらの使用者が無線電話装置で応答したことを示す使用者応答信号（ここではＰＲＩ−Ｑ）を相手ファクシミリ装置へ送信する。
【００９０】
そして、相手ファクシミリ装置は使用者が電話機を取るなどして応答したことを示すＰＩＰあるいはＰＩＮ信号を送信してくるので、ファクシミリ装置（無線）１０９ａはそれを受信すると呼切断動作を行う。
【００９１】
上記以外の動作は第一の実施例の動作と同じである。
【００９２】
以上のように第二の実施例では、ファクシミリ通信中、あるいは通信後に相手ファクシミリ装置から使用者呼び出し信号を受信する場合でも、ファクシミリ装置に接続する呼を問題なくエリア情報から指定した無線電話装置に切り替えることができ、使用者は通話を行なうことができる。
【００９３】
以下に本発明の第三の実施例を説明する。
【００９４】
本発明の第三の実施例は、無線ファクシミリ装置における呼切換操作の別の操作方法を述べる。
【００９５】
第一の実施例では、ファクシミリ装置（無線）１０９ａの操作パネル３０４に特別なキー、「呼切換」キーを設けてその押下と必要であれば呼転送先のファクシミリ装置の位置する無線エリアの識別情報のキーの押下で、ファクシミリ装置（無線）１０９ａは呼切換操作が行なわれたことを識別するが、第三の実施例では、既存の操作キーと操作パネル３０４の表示部を利用してメニュー選択できるようにして、ファクシミリ装置（無線）１０９ａで呼が接続されている時に使用者により呼切換メニューが選択されて呼の転送先のファクシミリ装置の無線エリア情報も入力されると、ファクシミリ装置（無線）１０９ａは構内交換機１０１へ向けて「呼切換」要求を出力するようにする。
【００９６】
すなわち、ファクシミリ装置（無線）１０９ａは特殊なキーを追加する必要がないので、容易に実現できる。
【００９７】
以下に本発明の第四の実施例を説明する。
【００９８】
本発明の第四の実施例は、無線ファクシミリ装置における呼切換操作のさらに別の操作方法を述べる。
【００９９】
第一の実施例では、ファクシミリ装置（無線）１０９ａは操作パネル３０４に特別なキー、「呼切換」キーを設ける例を、第三の実施例では既存の操作キーと表示部を利用して呼切換メニューの選択により、ファクシミリ装置（無線）１０９ａは呼切換操作が行なわれたことを識別するが、第四の実施例では、ファクシミリ装置（無線）１０９ａにマイクと音声認識機能を設けて使用者が例えば「呼転送ＸＸ番」というようにマイクに音声入力するとファクシミリ装置（無線）１０９ａは音声認識機能によりその情報を解析して呼転送機能が選択されたと認識できるようにして、ファクシミリ装置（無線）１０９ａで呼が接続されている時に使用者により前記の音声入力がされると、ファクシミリ装置（無線）１０９ａは構内交換機１０１へ向けて「呼切換」要求を出力するようにする。もちろん、最も近い無線エリアの無線電話装置を選択する時は無線エリア識別情報は入力する必要はなく、その場合は「呼転送」というようにマイクに入力するだけで良い。
【０１００】
すなわち、不要なキー操作が無いのでさらに使い勝手の良い呼切換操作ができる無線ファクシミリ装置を得ることが可能となる。
【０１０１】
以下に本発明の第五の実施例を説明する。
【０１０２】
本発明の第五の実施例は、呼の転送先の無線電話装置の指定入力方法のさらに別の方法を述べる。
【０１０３】
第五の実施例では直後、最も近い無線エリアの無線電話装置に呼を接続するように無線ファクシミリ装置で入力するようにする。この場合、無線ファクシミリ装置の操作パネル３０４に更に特別なキーやメニューを設けて、そのキーやメニューを選択すると無線ファクシミリ装置は呼切換要求信号に「最も近い無線エリアの無線電話装置選択」の情報を含むように生成して構内交換機１０１へ送信する。
【０１０４】
そして、構内交換機１０１はその信号を受信すると解析して、データベーステーブルを参照してすぐさま最も近い無線エリアの無線電話装置を選択する。
【０１０５】
すなわち、無線ファクシミリ装置の使用者は呼切換操作を行なう時に、最も近い無線エリアの無線電話装置を選択するような入力をさらに行ない、最適な無線電話装置を選択できるようになるので、さらに便利な無線通信システムを得ることができる。
【０１０６】
以上の実施例では、各無線エリアと無線基地局は一対一で対応し、構内交換機１０１のデータベーステーブルも各無線エリアを一単位として取り扱うように説明したが、複数の無線基地局をグループ化して一つの無線エリアを形成するようにしてもよい。
【０１０７】
以上の実施例では、呼を接続しているファクシミリ装置と呼を切り替える先の電話装置は無線で構内交換機と接続する例を示したが、どちらか一方は有線で接続していてもかまわない。
【０１０８】
以上の実施例では、ファクシミリ通信を行なっている無線ファクシミリ装置からその呼を切断することなく無線電話装置に呼を接続し直して通話を行なう例を示したが、第一のデータ通信を行なっている第一の無線データ通信装置から第二のデータ通信を行なう第二の無線データ通信装置へ呼を接続し直して第二のデータ通信を行なうようにしてもよい。この場合、第一のデータ通信と第二のデータ通信は同じものでもよい。
【０１０９】
以上の実施例では、構内交換機で構成する自営網の例を示したが、公衆網の場合も本発明を適用できる。この場合、位置情報データベースは公衆網の共通信号網に存在し、前述した実施例の中の構内交換機が公衆網、あるいは事業者網に置き換わるだけで、各動作や信号の流れは同じである。
【０１１０】
以上の実施例の方法に加えて、ＧＰＳ（Ｇｌｏｂａｌ  Ｐｏｓｉｔｉｏｎｉｎｇ  Ｓｙｓｔｅｍ）方式を使って各端末装置の位置情報を登録して、本発明を適用してもよい。
【０１１１】
【発明の効果】
以上説明したように、請求項１記載の無線データ通信装置、無線電話装置、無線通信システムによれば、無線エリア毎に無線基地局と無線チャネルで接続して通信を行なう無線データ通信装置、通話機能を動作する無線電話装置、および無線データ通信装置や無線電話装置の位置情報を登録して参照可能な位置情報データベースを有する網で構成する無線通信システムにおいて、無線データ通信装置は接続する呼を無線電話装置へ接続する要求を行なうことができ、網は前記要求を受けると位置情報データベース内の位置情報を参照して、網は前記参照した位置情報により無線電話装置を選択し、網は選択した無線電話装置を呼出して、呼出した無線電話装置が応答すると応答した無線電話装置に前記呼を接続するようにしたので、必要な時に容易に無線データ通信装置からの要求で無線データ通信装置に接続する呼をそのままで位置情報データベース内の無線データ通信装置や無線電話装置の位置情報を参照してその情報を元に選択した無線電話装置に前記呼を接続し直す事が可能になり、例えばその無線データ通信装置の使用者が無線電話装置によって相手装置の使用者と、あるいは相手装置の使用者がその無線データ通信装置の使用者とデータ通信の実行後にそのデータ通信を行なっている同一の呼で無線電話装置により通話を行なう、いわゆる「電話予約機能」を無線データ通信装置や無線電話装置の位置情報を元にし選択された最適な無線電話装置により行なうことが容易に提供可能となり、すなわち再度発呼、着呼動作を行なうこと、すなわち呼接続をやり直すことが全く必要無く最適に選択された無線電話装置で通話を行なうことができ、便利な使い勝手の良い無線データ通信装置、無線電話装置、無線通信システムが提供可能となる。
【０１１２】
請求項２記載の無線データ通信装置、無線電話装置、無線通信システムによれば、使用者が無線データ通信装置上の操作で指定した時に無線データ通信装置は接続する呼を無線電話装置へ接続する要求を行なうようにしたので、無線データ通信装置の使用者の意思により無線データ通信装置の位置するエリア情報を元にしたエリアに位置する無線電話装置を選択して、無線データ通信装置に接続している呼を切断することなくそのまま選択された無線電話装置を呼出すことができて通話を行なうことができるようになるので、さらに便利な使い勝手の良い無線データ装置、無線電話装置、無線通信システムが提供可能となる。
【０１１３】
請求項３記載の無線データ通信装置、無線電話装置、無線通信システムによれば、無線データ通信装置が相手通信装置から使用者呼び出し信号を受信した時に無線データ通信装置は接続する呼を無線電話装置へ接続する要求を行なうようにしたので、データ通信途中や通信後の通話を相手通信装置から指示してきたときでも無線データ通信装置の位置するエリア情報を元にしたエリアに位置する無線電話装置を選択して、無線データ通信装置に接続している呼を切断することなくそのまま選択された無線電話装置を呼出すことができて通話を行なうことができるようになるので、さらに便利な使い勝手の良い無線データ通信装置、無線電話装置、無線通信システムが提供可能となる。
【０１１４】
請求項４記載の無線データ通信装置、無線電話装置、無線通信システムによれば、網は前記参照した位置情報により、無線データ通信装置の同一エリア内に位置する無線電話装置を選択することができ、網は選択した無線電話装置を呼出すようにしたので、無線データ通信装置は無線データ通信装置の位置するエリアの同一のエリアに位置する無線電話装置を選択して、無線データ通信装置に接続している呼を切断することなくそのまま選択された無線電話装置を呼出すことができて、その呼出に無線電話装置が応答すれば接続することが容易に可能となり、無線データ通信装置の使用者は同じエリアの無線電話装置を使って通話を行なうことができるようになるので、さらに便利な使い勝手の良い無線データ通信装置、無線電話装置、無線通信システムが提供可能となる。
【０１１５】
請求項５記載の無線データ通信装置、無線電話装置、無線通信システムによれば、網は前記参照した位置情報により、最も近いエリアに位置する無線電話装置を選択して、網は選択した無線電話装置を呼出すようにしたので、無線データ通信装置はその位置に最も近いエリアに位置する無線電話装置を選択して、無線データ通信装置に接続している呼を切断することなくそのまま選択された無線出羽装置を呼出すことができて、その呼出に無線電話装置が応答すれば接続する事が容易に可能となり、無線データ通信装置の使用者は最も近いエリア内にある無線電話装置を使って通話を行なうことができるようになるので、さらに便利な使い勝手の良い無線データ通信装置、無線電話装置、無線通信システムが提供可能となる。
【０１１６】
請求項６記載の無線データ通信装置、無線電話装置、無線通信システムによれば、網は前記参照した位置情報により、特定のエリアに位置する無線電話装置を選択して、網は選択した無線電話装置を呼出すようにしたので、無線データ通信装置は必要な特定のエリアに位置する無線電話装置を選択して、無線データ通信装置に接続している呼を切断することなくそのまま選択された無線電話装置を呼出すことができて、その呼出に無線電話装置が応答すれば接続することが容易に可能となり、無線データ通信装置の使用者は選択した特定エリア内にある無線電話装置を使って通話を行なうことができるようになるので、さらに便利な使い勝手の良い無線データ通信措置、無線電話装置、無線通信システムが提供可能となる。
【０１１７】
請求項７記載の無線データ通信装置、無線電話装置、無線通信システムによれば、無線データ通信装置は接続する呼を無線電話装置へ接続する要求に無線電話装置の位置するエリアを特定する情報を含むようにしたので、使用者が無線データ装置でデータ通信のために接続している呼を切断することなく特定のエリアに位置する無線電話装置に接続したい時に、無線データ通信装置から無線電話装置の位置するエリアを特定する情報を送ることができるようになり、さらに便利な使い勝手の良い無線データ通信装置、無線電話装置、無線通信システムが提供可能となる。
【０１１８】
請求項８記載の無線データ通信装置、無線電話装置、無線通信システムによれば、網は前記の呼出した無線電話装置の接続情報を、前記無線データ通信装置へ送信するようにしたので、使用者はどの無線電話装置を呼び出し応答して接続したかを容易に特定することができ、特に無線データ通信装置の位置の同一エリアや近くのエリア、無線データ通信装置から特定したエリアの中の無線電話装置が複数ある場合に呼出して接続した無線電話装置を容易に特定することができ、さらには選択した無線電話装置を呼出したが何らかの理由で接続できなかった場合にその情報を無線データ通信装置は受信することができて何らかの理由で接続できなかった場合にその情報を無線データ通信装置は受信することができて使用者に知らしめることなども可能となり、さらに便利な使い勝手の良い無線データ通信装置、無線電話装置、無線通信システムが提供可能となる。
【０１１９】
請求項９記載の無線データ通信装置、無線電話装置、無線通信システムによれば、前記網は公衆網であり、前記位置情報データベースは公衆網の一構成要素であるようにしたので、従来の公衆網を利用して本発明を容易に実現でき、さらに便利な使い勝手の良い無線データ通信装置、無線電話装置、無線通信システムが提供可能となる。
請求項１０記載の無線データ通信装置、無線電話装置、無線通信システムによれば、前記網は構内交換機で構成する自営網であり、前記位置情報データベースは構内交換機の一構成要素であるようにしたので、従来の自営網を利用して本発明を容易に実現でき、具体的には例えば構内交換機内のメモリにある位置管理データベースを利用して本発明を容易に実現でき、さらに便利な使い勝手の良い無線データ通信装置、無線電話装置、無線通信システムが提供可能となる。
【図面の簡単な説明】
【図１】本発明の各実施例による無線通信システムの構成図である。
１−１は本発明の各実施例による位置登録データベーステーブルである。
１−２は本発明の各実施例による無線エリア位置データベーステーブルである。
【図２】本発明の各実施例による無線電話装置の内部ブロック図である。
【図３】本発明の各実施例によるファクシミリ装置の内部ブロック図である。
【図４】本発明の第一実施例による無線通信システムの動作、信号シーケンス図である。
【図５】本発明の第一実施例による無線ファクシミリ装置の動作を示すフローチャートである。
【図６】本発明の第一実施例による構内交換機の動作を示すフローチャートである。
【図７】本発明の第二実施例による無線通信システムの動作、信号シーケンス図である。
【符号の説明】
１０１  構内交換機
１０１ａ  制御部
１０２、１０３、１０４  無線基地局
１０５、１０６、１０７  無線電話装置
１０８  ファクシミリ装置（有線）
１０９ａ，１０９ｂ  ファクシミリ装置（無線）
１１０  外線
１１１  無線エリアＡ
１１２  無線エリアＢ
１１３  無線エリアＣ
【図１】
2004320337.tif 000003
【図２】
2004320337.tif 000004
【図３】
2004320337.tif 000005
【図４】
2004320337.tif 000006
【図５】
2004320337.tif 000007
【図６】
2004320337.tif 000008
【図７】
2004320337.tif 000009